(57)【要約】【課題】魚へのアピール性に優れた疑似餌２の提供。【解決手段】疑似餌２は、ヘッド４、ラインアイ６及び装着具８を備えている。ラインアイ６には、ラインが結ばれる。装着具８には、フック、スカート及びネクタイが装着される。ヘッド４は、流線型である。ヘッド４は、腹１６を下方に向けて海水中を沈降する。ヘッド４は、２つの空気室２８を備えている。それぞれの空気室２８は、開口３０を備えている。開口３０は、ヘッド４の表面に位置している。開口３０は、ヘッド４の腹１６に位置している。疑似餌２の沈降中、空気室からは空気が漏れない。疑似餌２の着底の衝撃により、空気室２８から空気が出る。空気は、泡となって海水中を上昇する。この泡は、鯛にアピールする。開口３０の面積は、１ｍｍ２以上３０ｍｍ２以下である。【選択図】図２
2008113612.tif 000002
【特許請求の範囲】
【請求項１】
高比重材料からなるヘッドを備えており、このヘッドがその内部に空気室を備えており、この空気室がヘッドの表面に開口を有する疑似餌。
【請求項２】
上記開口の面積が１ｍｍ２以上３０ｍｍ２以下である請求項１に記載の疑似餌。
【請求項３】
上記ヘッドの形状が腹側を下方に向けて海水中を落下するような流線型であり、この腹側に開口が位置している請求項１又は２に記載の疑似餌。
【発明の詳細な説明】
【技術分野】
【０００１】
本発明は、釣りに用いられる疑似餌に関する。
【背景技術】
【０００２】
カブラと称される疑似餌を用いて、鯛釣りが行われている。この疑似餌は、金属製のヘッドを備えている。この疑似餌は、ラインが結ばれた状態で海水中を沈降し、着底する。
鯛は、沈降及び着底する疑似餌に注目する。ラインが引かれて疑似餌が海水中を上昇すると、この疑似餌を生きたベイトと勘違いした鯛が、疑似餌に食いつく。疑似餌に装着されたフックが鯛に刺さり、鯛が釣り上げられる。
【０００３】
カブラによる鯛釣りは、漁業としては、古くから日本各地で行われている。職業漁師は、ヘッドにワカメ、ビニール紐等を装着し、鯛へのアピール性を高めている。近年、ヘッドにゴム製のスカート及びネクタイが装着されるようになった。このスカート及びネクタイは、鯛へのアピール性に寄与する。この疑似餌を用いることで、初心者でも比較的簡単に鯛を釣り上げることができる。この疑似餌は、ゲームフィッシングの用具として認知され、普及しつつある。
【発明の開示】
【発明が解決しようとする課題】
【０００４】
スカート及びネクタイが採用された疑似餌は魚へのアピール性に優れるので、この疑似餌が用いられることで高いヒット率が得られる。しかし釣り人は、ヒット率のさらなる向上を望んでいる。本発明の目的は、ヒット率に優れた疑似餌の提供にある。
【課題を解決するための手段】
【０００５】
本発明に係る疑似餌は、高比重材料からなるヘッドを備える。このヘッドは、その内部に空気室を備える。この空気室は、ヘッドの表面に開口を有する。
【０００６】
好ましくは、開口の面積は、１ｍｍ２以上３０ｍｍ２以下である。
【０００７】
好ましくは、ヘッドの形状は、腹側を下方に向けて海水中を落下するような流線型である。この腹側に、開口が位置する。
【発明の効果】
【０００８】
本発明に係る疑似餌では、着底時の衝撃により、空気室から空気が出る。この空気は、泡となって水中を上昇する。この泡は、魚にアピールする。泡を見た魚は、この疑似餌を生きたベイトと勘違いする。この疑似餌のヒット率は、高い。
【発明を実施するための最良の形態】
【０００９】
以下、適宜図面が参照されつつ、好ましい実施形態に基づいて本発明が詳細に説明される。
【００１０】
図１は、本発明の一実施形態に係る疑似餌２が示された正面図である。図２は、図１の疑似餌２の一部が示された断面図である。図３は、図１の疑似餌２の一部が示された底面図である。この疑似餌２は、カブラと称される。この疑似餌２は、主として鯛釣りに用いられる。この疑似餌２は、ヘッド４、ラインアイ６、装着具８、フック１０、スカート１２及びネクタイ１４を備えている。図２及び３では、フック１０、スカート１２及びネクタイ１４の図示が省略されている。
【００１１】
ヘッド４は、海水よりも高比重な材料からなる。従って、ヘッド４は海水に沈む。ヘッド４の典型的な材質は、鉛又は鉛合金である。ヘッド４が、タングステン又はタングステン合金を主成分として含んでもよい。ヘッド４の質量は、１０ｇから１５０ｇ、特には２０ｇから１００ｇである。ヘッド４は、流線型である。従って、ヘッド４が単体で水中を落下するとき、腹１６がほぼ下方を向く。
【００１２】
ラインアイ６は、ヘッド４の後端に位置している。ラインアイ６は、金属線が曲げられて形成されている。金属線の端は、ヘッド４に埋め込まれており、ヘッド４に堅固に固定されている。ヘッド４から露出したラインアイ６は、リング状を呈している。ラインアイ６は、ヘッド４が鋳造されるときの鋳型にインサートされることにより、ヘッド４と固定されている。このラインアイ６には、直接的に、又は金具を介して、ラインが結ばれる。
【００１３】
装着具８は、ヘッド４の前端に位置している。装着具８の後端は、ヘッド４に埋め込まれており、ヘッド４に堅固に固定されている。装着具８は、金属材料からなる。装着具８は、板状である。装着具８は、前端近傍にフックアイ１８を備えている。このフックアイ１８は、金属板が打ち抜かれることで形成されている。装着具８は、ヘッド４が鋳造されるときの鋳型にインサートされることにより、ヘッド４と固定されている。
【００１４】
フック１０は、本体２０及び鉤素２２からなる。本体２０は、金属材料からなる。鉤素２２は、柔軟な材料からなる。鉤素２２の典型的な材質は、アラミド繊維（登録商標「ケブラー」）である。鉤素２２は、フックアイ１８に結ばれている。
【００１５】
スカート１２は、多数のゴム糸２４からなる。このゴム糸２４のセンター近傍は、ゴムバンド２６によって装着具８に固定されている。ゴム糸２４は、柔軟である。水圧を受けたとき、ゴム糸２４は揺らめいて、鯛にアピールする。このスカート１２は、ブラックバスフィッシングに用いられるラバージグに類似の構造を有している。スカート１２が、合成樹脂製の紐からなってもよい。スカート１２が設けられなくてもよい。
【００１６】
ネクタイ１４は、帯状である。ネクタイ１４は、ゴム又は軟質な合成樹脂からなる。このネクタイ１４の中央近傍は、ゴムバンド２６によって装着具８に固定されている。この装着具８から下方に向かって、ネクタイ１４が延びている。水圧を受けたとき、ネクタイ１４ははためいて、鯛にアピールする。ネクタイ１４のはためきにより、鯛はこの疑似餌２をイソメ、ゴカイ等の多毛類と勘違いする。ネクタイ１４が設けられなくてもよい。
【００１７】
図２に示されるように、ヘッド４は２つの空気室２８を備えている。この空気室２８は、ヘッド４が切削されることで形成されている。ヘッド４が鋳造されるときに鋳型に突起が設けられることにより、ヘッド４に空気室２８が形成されてもよい。
【００１８】
それぞれの空気室２８は、開口３０を備えている。開口３０は、ヘッド４の表面に位置している。この例では、開口３０は、ヘッド４の腹１６に位置している。空気室２８は、開口３０から上方に延在している。図３に示されるように、開口３０の輪郭は、実質的に円形である。空気室２８の断面形状も、円形である。開口３０の形状及び空気室２８の断面形状が、円形以外の形状であってもよい。
【００１９】
この疑似餌２が空気中にあるとき、空気室２８には空気が充満している。釣り人がこの疑似餌２を海水に落とすと、疑似餌２は海水中を沈降する。鯛は、沈降している疑似餌２に注目する。前述の通りヘッド４は流線型なので、開口３０が下向きになった姿勢で、疑似餌２が沈降する。従って、沈降中に空気室２８から空気は漏れない。
【００２０】
疑似餌２が着底すると、ヘッド４と海底とが衝突してヘッド４に衝撃が伝わる。この衝撃により、空気室２８から空気が出る。空気は泡となって海水中を上昇する。この泡を鯛は注目する。泡は、鯛にアピールする。この泡により、鯛は、疑似餌２を生きたベイトであると、より勘違いする。
【００２１】
ラインが引かれると、疑似餌２が上昇する。このとき、海水の圧力を受けて、スカート１２及びネクタイ１４がはためく。このはためきは、鯛にアピールする。泡によって鯛は既に疑似餌２をベイトと勘違いしているので、この疑似餌２を追いかけて捕食する。フック１０の本体２０が鯛に突き刺さり、鯛が釣り上げられる。この疑似餌２のヒット率は、従来の疑似餌２のヒット率よりも高い。
【００２２】
それぞれの開口３０の面積（図３に示された円の面積にほぼ等しい）は、１ｍｍ２以上３０ｍｍ２以下が好ましい。面積が１ｍｍ２以上である開口３０では、着底時に空気が出やすい。この満点から、面積は３ｍｍ２以上がより好ましい。疑似餌２の沈降中、ラインテンション、潮流等の影響で、ヘッド４の向き及び姿勢は変動する。沈降中に開口３０が上向きになる場合もある。開口３０の面積が３０ｍｍ２以下に設定されることで、開口３０が上向きになった場合でも、水の表面張力によって空気の漏れが抑制されうる。この観点から、面積は２０ｍｍ２以下がより好ましい。
【００２３】
図４は、本発明の他の実施形態に係る疑似餌３２の一部が示された断面図である。この疑似餌３２は、ヘッド３４、ラインアイ３６及び装着具３８を備えている。ラインアイ３６及び装着具３８の構造及び材質は、図１から３に示された疑似餌２のそれらと同等である。図示されていないが、この疑似餌３２は、図１から３に示された疑似餌２と同様に、フック、スカート及びネクタイを備えている。
【００２４】
ヘッド３４は、高比重な材料からなる。ヘッド３４は、空気室４０を備えている。この空気室４０は、開口４２を備えている。開口４２は、ヘッド３４の腹４４であって、かつ前寄り（装着具３８に近い位置）にある。ラインアイ３６には、ライン４６が結ばれている。この疑似餌３２が沈降するとき、ライン４６のテンションにより、ヘッド３４が前下がりに傾く。開口４２が前寄りに位置しているので、ヘッド３４が傾いても、沈降中の空気の漏れが抑制される。
【００２５】
疑似餌３２が着底すると、ヘッド３４と海底とが衝突してヘッド３４に衝撃が伝わる。この衝撃により、空気室４０から空気が出る。空気は泡となって海水中を上昇する。この泡を鯛は注目する。泡は、鯛にアピールする。この泡により、鯛は、疑似餌３２を生きたベイトであると勘違いする。
【００２６】
この開口４２の面積も、図３に示された開口３０の面積と同様、１ｍｍ２以上が好ましく、３ｍｍ２以上がより好ましい。面積は、３０ｍｍ２以下が好ましく、２０ｍｍ２以下がより好ましい。
【００２７】
図５は、本発明のさらに他の実施形態に係る疑似餌４８の一部が示された断面図である。この疑似餌４８は、ヘッド５０、ラインアイ５２及び装着具５４を備えている。ラインアイ５２及び装着具５４の構造及び材質は、図１から３に示された疑似餌２のそれらと同等である。図示されていないが、この疑似餌４８は、図１から３に示された疑似餌２と同様に、フック、スカート及びネクタイを備えている。
【００２８】
ヘッド５０は、高比重な材料からなる。ヘッド５０は、空気室５６を備えている。この空気室５６は、開口５８を備えている。開口５８は、ヘッド５０の背６０に位置している。空気の比重は海水の比重よりも小さいので、開口５８が背６０に位置することで、疑似餌４８が沈降するときに空気室５６から空気が漏れるおそれがある。しかし、開口５８が十分に小さい場合は、水の表面張力により、空気の漏れが抑制される。
【００２９】
疑似餌４８が着底すると、ヘッド５０と海底とが衝突してヘッド５０に衝撃が伝わる。この衝撃により、空気室５６から空気が出る。空気は泡となって海水中を上昇する。この泡を鯛は注目する。泡は、鯛にアピールする。この泡により、鯛は、疑似餌４８を生きたベイトであると、より勘違いする。
【００３０】
この開口５８の面積も、図３に示された開口３０の面積と同様、１ｍｍ２以上が好ましく、３ｍｍ２以上がより好ましい。面積は、３０ｍｍ２以下が好ましく、２０ｍｍ２以下がより好ましい。
【００３１】
図６は、本発明のさらに他の実施形態に係る疑似餌６２の一部が示された断面図である。この疑似餌６２は、ヘッド６４、ラインアイ６６及び装着具６８を備えている。ラインアイ６６及び装着具６８の構造及び材質は、図１から３に示された疑似餌２のそれらと同等である。図示されていないが、この疑似餌６２は、図１から３に示された疑似餌２と同様に、フック、スカート及びネクタイを備えている。
【００３２】
ヘッド６４は、高比重な材料からなる。ヘッド６４は、空気室７０を備えている。この空気室７０は、主室７２、経路７４及び開口７６を備えている。主室７２のサイズは大きく、経路７４のサイズは小さい。この疑似餌６２では、主室７２によって多量の空気が蓄えられる。この疑似餌６２では、経路７４のサイズが小さいので、沈降中の空気の漏れが抑制される。
【００３３】
疑似餌６２が着底すると、ヘッド６４と海底とが衝突してヘッド６４に衝撃が伝わる。この衝撃により、空気室７０から空気が出る。空気は泡となって海水中を上昇する。この泡を鯛は注目する。泡は、鯛にアピールする。この泡により、鯛は、疑似餌６２を生きたベイトであると、より勘違いする。
【００３４】
この開口７６の面積も、図３に示された開口３０の面積と同様、１ｍｍ２以上が好ましく、３ｍｍ２以上がより好ましい。面積は、３０ｍｍ２以下が好ましく、２０ｍｍ２以下がより好ましい。
【００３５】
図７は、本発明のさらに他の実施形態に係る疑似餌８２が示された正面図である。図８は、図７の疑似餌８２の一部が示された断面図である。この疑似餌８２は、ヘッド８４、装着具８６、スプリットリング８８、フック９０、スカート９２及びネクタイ９４を備えている。図８では、フック９０、スカート９２及びネクタイ９４の図示が省略されている。フック９０、スカート９２及びネクタイ９４の構造及び材質は、図１から３に示された疑似餌２のそれらと同等である。
【００３６】
ヘッド８４は、高比重な材料からなる。ヘッド８４は、球形である。ヘッド８４は、孔９６を備えている。この孔９６は、ヘッド８４を貫通している。この孔９６に、装着具８６が遊嵌されている。装着具８６も、孔９６を貫通している。装着具８６は、ヘッド８４に対してスライド可能である。装着具８６は、板状である。この板が打ち抜かれることにより、装着具８６にラインアイ９８及びフックアイ１００が形成されている。ラインアイ９８には、スプリットリング８８が通されている。このスプリットリング８８により、装着具８６の、図８における右方向への脱抜が阻止される。フックアイ１００には、フック９０が取り付けられている。装着具８６には、ゴムバンド１０２により、スカート９２及びネクタイ９４が固定されている。ネクタイ９４は、装着具８６の下面に当接している。このネクタイ９４の幅方向（図７の紙面垂直方向）は、装着具８６の幅方向と一致する。従って、ネクタイ９４の幅方向はヘッド８４の幅方向と一致する。ライン１０３が引かれると、ネクタイ９４には、図７中の左から右に向かう方向に水圧がかかる。ネクタイ９４は、広い面積で水圧を受け、よくはためく。このはためきは、鯛にアピールする。
【００３７】
ラインアイ９８からスプリットリング８８がはずされると、ヘッド８４から装着具８６が取り外されうる。装着具８６の取り外しにより、フック９０、スカート９２及びネクタイ９４もヘッド８４から取り外される。この疑似餌８２では、フック９０、スカート９２及びネクタイ９４が同時に交換されうる。
【００３８】
図８に示されるように、ヘッド８４は、２つの空気室１０４を備えている。それぞれの空気室１０４は、開口１０６を備えている。開口１０６は、ヘッド８４の腹に位置している。この疑似餌８２が空気中にあるとき、空気室１０４には空気が充満している。釣り人がこの疑似餌８２を海水に落とすと、疑似餌８２は海水中を沈降する。疑似餌８２が着底すると、ヘッド８４と海底とが衝突してヘッド８４に衝撃が伝わる。この衝撃により、空気室１０４から空気が出る。空気は泡となって海水中を上昇する。この泡を鯛は注目する。泡は、鯛にアピールする。この泡により、鯛は、疑似餌８２を生きたベイトであると、より勘違いする。
【００３９】
この開口１０６の面積も、図３に示された開口３０の面積と同様、１ｍｍ２以上が好ましく、３ｍｍ２以上がより好ましい。面積は、３０ｍｍ２以下が好ましく、２０ｍｍ２以下がより好ましい。
【産業上の利用可能性】
【００４０】
本発明に係る疑似餌は、鯛のみならず、太刀魚、ヒラメ等の種々の魚をターゲットにした釣りに適している。
【図面の簡単な説明】
【００４１】
【図１】図１は、本発明の一実施形態に係る疑似餌が示された正面図である。
【図２】図２は、図１の疑似餌の一部が示された断面図である。
【図３】図３は、図１の疑似餌の一部が示された底面図である。
【図４】図４は、本発明の他の実施形態に係る疑似餌の一部が示された断面図である。
【図５】図５は、本発明のさらに他の実施形態に係る疑似餌の一部が示された断面図である。
【図６】図６は、本発明のさらに他の実施形態に係る疑似餌の一部が示された断面図である。
【図７】図７は、本発明のさらに他の実施形態に係る疑似餌が示された正面図である。
【図８】図８は、図７の疑似餌の一部が示された断面図である。
【符号の説明】
【００４２】
２、３２、４８、６２、８２・・・疑似餌
４、３４、５０、６４、８４・・・ヘッド
６、３６、５２、６６、９８・・・ラインアイ
８、３８、５４、６８、８６・・・装着具
１０、９０・・・フック
１２、９２・・・スカート
１４、９４・・・ネクタイ
２８、４０、５６、７０、１０４・・・空気室
３０、４２、５８、７６、１０６・・・開口
７２・・・主室
７４・・・経路
【図１】
2008113612.tif 000003
【図２】
2008113612.tif 000004
【図３】
2008113612.tif 000005
【図４】
2008113612.tif 000006
【図５】
2008113612.tif 000007
【図６】
2008113612.tif 000008
【図７】
2008113612.tif 000009
【図８】
2008113612.tif 000010